(57)【特許請求の範囲】
【請求項１】
ガス流路を遮断する遮断弁を備えるガスメーターであって、
前記ガス流路に流れるガス流量を検出するガス流量検出手段と、
前記遮断弁を遮断状態から開弁状態に復帰させる復帰指示をする復帰ボタンと、
前記遮断弁を遮断させる遮断原因を、自動復帰が可能か否かを示す情報とともに格納する記憶部と、
前記ガス流量検出手段の検出ガス漏れ流量と比較する第１の漏れ判定流量、この第１の漏れ判定流量と異なる第２の漏れ判定流量が設定され、自動復帰が可能な前記遮断原因により前記遮断弁が遮断されている場合に、前記復帰ボタンから前記復帰指示を受けることなく、前記遮断弁の遮断又はその遮断指示から待機時間の経過後、前記遮断弁を遮断状態から開弁状態にさせ、前記ガス流量検出手段の検出ガス漏れ流量が前記第１の漏れ判定流量以下であれば、前記遮断弁を開弁状態に制御し、前記待機時間が経過するまでに前記復帰ボタンから前記復帰指示を受けると前記遮断弁を遮断状態から開弁状態にさせ、前記ガス流量検出手段の検出ガス漏れ流量が前記第２の漏れ判定流量以下であれば、前記遮断弁を開弁状態に制御し、自動復帰が不可とされた前記遮断原因により前記遮断弁が遮断されている場合に、前記復帰ボタンから前記復帰指示を受けるまで前記遮断弁を遮断状態に維持し、前記復帰ボタンから前記復帰指示を受けると前記遮断弁を遮断状態から開弁状態にさせ、前記ガス流量検出手段の検出ガス漏れ流量が前記第２の漏れ判定流量以下であれば、前記遮断弁を開弁状態に制御する制御手段と、
を備えることを特徴とするガスメーター。
【請求項２】
請求項１のガスメーターにおいて、
前記第２の漏れ判定流量は、前記第１の漏れ判定流量より大きい値又は小さい値に設定されていることを特徴とするガスメーター。
【請求項３】
請求項１のガスメーターにおいて、
前記復帰ボタンによる前記復帰指示を受けて前記遮断弁を開弁状態に維持する制御は、前記遮断弁を遮断させる遮断原因の全ての遮断原因又はその遮断原因から選択された遮断原因を対象にし、
前記復帰ボタンによる前記復帰指示を受けないで前記遮断弁を開弁状態に維持する制御は、前記遮断原因から選択された限定遮断原因を対象にすることを特徴とするガスメーター。
【請求項４】
請求項３のガスメーターにおいて、
前記遮断原因は、所定震度以上の地震、所定値以上の衝撃、所定時間以上の長時間使用、所定値以下へのガス圧力の低下、又は所定値以上のガス流量の増加であることを特徴とするガスメーター。
【請求項５】
請求項３のガスメーターにおいて、
前記限定遮断原因は、所定震度以上の地震、所定値以上の衝撃、又は所定時間以上の長時間使用の何れかであることを特徴とするガスメーター。
【請求項６】
請求項１のガスメーターにおいて、
前記待機時間中又は前記待機時間後に前記復帰ボタンからの復帰指示を受けた場合、前記制御手段は、前記復帰ボタンの復帰指示に基づく復帰動作を優先して実行することを特徴とするガスメーター。
【請求項７】
ガス流路を遮断する遮断弁を備えるガスメーターの制御方法であって、
前記ガス流路に流れる検出ガス流量を検出するステップと、
前記遮断弁を遮断状態から開弁状態に復帰させる復帰指示をするステップと、
前記遮断弁を遮断させる遮断原因を、自動復帰が可能か否かを示す情報とともに格納するステップと、
検出ガス漏れ流量と比較する第１の漏れ判定流量、この第１の漏れ判定流量と異なる第２の漏れ判定流量が設定され、自動復帰が可能な前記遮断原因により前記遮断弁が遮断されている場合に、前記復帰指示を受けることなく、前記遮断弁の遮断又はその遮断指示から待機時間の経過後、前記遮断弁を遮断状態から開弁状態にさせ、検出ガス漏れ流量が前記第１の漏れ判定流量以下であれば、前記遮断弁を開弁状態に制御する前記復帰指示を受けて前記遮断弁を遮断状態から開弁状態にさせ、前記待機時間が経過するまでに前記復帰指示を受けると前記遮断弁を遮断状態から開弁状態にさせて、検出ガス漏れ流量が前記第２の漏れ判定流量以下であれば、前記遮断弁を開弁状態に制御し、自動復帰が不可とされた前記遮断原因により前記遮断弁が遮断されている場合に、前記復帰指示を受けるまで前記遮断弁を遮断状態に維持し、前記復帰指示を受けると前記遮断弁を遮断状態から開弁状態にさせ、検出ガス漏れ流量が前記第２の漏れ判定流量以下であれば、前記遮断弁を開弁状態に制御するステップと、
を含むことを特徴とするガスメーターの制御方法。
【請求項８】
請求項７のガスメーターの制御方法において、
前記第２の判定流量は、前記第１の判定流量より大きい値又は小さい値に設定されていることを特徴とするガスメーターの制御方法。
【請求項９】
請求項７のガスメーターの制御方法において、
前記待機時間中又は前記待機時間後に前記復帰指示を受けた場合、前記復帰指示に基づく復帰動作を優先して実行することを特徴とするガスメーターの制御方法。
【請求項１０】
ガス流路を遮断する遮断弁を備えるガスメーターに搭載されたコンピュータに実行させる制御プログラムであって、
前記ガス流路に流れる検出ガス流量を検出するステップと、
前記遮断弁を遮断状態から開弁状態に復帰させる復帰指示をするステップと、
前記遮断弁を遮断させる遮断原因を、自動復帰が可能か否かを示す情報とともに格納するステップと、
検出ガス漏れ流量と比較する第１の漏れ判定流量、この第１の漏れ判定流量と異なる第２の漏れ判定流量が設定され、自動復帰が可能な前記遮断原因により前記遮断弁が遮断されている場合に、前記復帰指示を受けることなく、前記遮断弁の遮断又はその遮断指示から待機時間の経過後、前記遮断弁を遮断状態から開弁状態にさせ、前記待機時間が経過するまでに前記復帰指示を受けると前記遮断弁を遮断状態から開弁状態にさせて、検出ガス漏れ流量が前記第１の漏れ判定流量以下であれば、前記遮断弁を開弁状態に制御する前記復帰指示を受けて前記遮断弁を遮断状態から開弁状態にさせ、検出ガス漏れ流量が前記第２の漏れ判定流量以下であれば、前記遮断弁を開弁状態に制御し、自動復帰が不可とされた前記遮断原因により前記遮断弁が遮断されている場合に、前記復帰指示を受けるまで前記遮断弁を遮断状態に維持し、前記復帰指示を受けると前記遮断弁を遮断状態から開弁状態にさせ、検出ガス漏れ流量が前記第２の漏れ判定流量以下であれば、前記遮断弁を開弁状態に制御するステップと、
を含むことを特徴とする制御プログラム。
【請求項１１】
請求項１０の制御プログラムにおいて、
前記第２の判定流量は、前記第１の判定流量より大きい値又は小さい値に設定されていることを特徴とする制御プログラム。
【請求項１２】
請求項１０の制御プログラムにおいて、
前記待機時間中又は前記待機時間後に前記復帰指示を受けた場合、前記復帰指示に基づく復帰動作を優先して実行することを特徴とする制御プログラム。
【発明の詳細な説明】
【技術分野】
【０００１】
本発明は、地震の揺れ等の感震時にガス流路の自動遮断機能とともに自動復帰又は手動復帰が可能なガスメーターに関し、特に、遮断弁が有する自動復帰と手動復帰の開弁条件が異なるガスメーター、その制御方法及び制御プログラムに関する。
【背景技術】
【０００２】
ガス流路に流れるガス流量を測定するガスメーターには、感震時にガス流路を遮断する遮断弁が備えられている。遮断弁の遮断状態から開弁状態への復帰には、閉弁から所定時間経過後、復帰状態に維持してガス漏れ検査を行い、ガス漏れがあれば遮断状態にし、ガス漏れがなければ開弁状態を維持する自動復帰と、ユーザが必要に応じて遮断弁を復帰状態にする手動復帰とがある。手動復帰操作を行っても、ガス漏れがあれば、遮断弁は遮断状態に維持され、安全性を確保している。
【０００３】
このような遮断弁の復帰に関し、特許文献１では、遮断弁を遮断状態にした後、流量記憶部に記憶されていた流量に応じて自動復帰時間を決定し、この自動復帰時間だけ待機した後、遮断弁を復帰状態にしてガス漏れ検査を行い、ガス漏れがあれば遮断弁を遮断状態にし、ガス漏れがなければ遮断弁の復帰状態を維持することが開示されている。
【０００４】
特許文献２では、地震発生時に地震レベルを判定するとともに、ガス流量レベルが所定値を超えているか否かによりガス使用中か否かを判定し、これらの判定結果に基づいて遮断弁の動作を制御することが開示されている。
【０００５】
地震発生時のガス遮断に関し、特許文献３では、特定期間内に１段目のパルス信号のみが発生した場合は小地震とみなして復帰可能なガス遮断を行い、１段目と２段目のパルス信号が発生した場合は大地震とみなして復帰不可の即遮断を行い、２段目のパルス信号のみが発生した場合は衝撃とみなしてガス遮断を行わないガス遮断制御について開示されている。
【０００６】
特許文献４では、瞬時流量計測手段による瞬時流量と感震手段の地震レベルに応じて流路調節を行うことにより、複数の地震レベルが計測でき、地震レベルと瞬時流量に応じて流路の開度を調整することが開示されている。
【０００７】
また、特許文献５では、遮断状態にある遮断弁を開弁状態に自動復帰させるための自動復帰機能を有するガスメーターに関し、流量区分毎に自動復帰機能の有効又は無効を示すフラグを設定し、遮断事象が発生した場合に、遮断直前の登録流量が自動復帰機能の有効区分内か否かを判定し、有効区分内であると判定された場合に遮断弁を自動復帰させることが開示されている。
【特許文献１】特開平９−８９６０９号公報（要約、図５等）
【特許文献２】特開平９−５３９７０号公報（要約、図４等）
【特許文献３】特開２００２−１５６２５９号公報（要約、図３等）
【特許文献４】特開平１１−６４０５４号公報（要約、図１等）
【特許文献５】特開２００６−２５０７９１号公報（要約、図１等）
【発明の開示】
【発明が解決しようとする課題】
【０００８】
ところで、感震時等、強い揺れや衝撃を受けた場合に自動遮断した遮断弁を開弁状態に自動的に復帰させる自動復帰機能は、一定の待機時間の後、遮断弁を開弁状態に復帰させ、ガスの漏洩確認を行った後、ガス漏れ量が所定量以下であれば、遮断弁を復帰状態に維持させている。
【０００９】
ユーザが不用意に衝撃を発生させた場合等、地震等の揺れではない場合には、ユーザにおいて、安全性が判断できる場合であっても、遮断弁は自動遮断に移行する。このような場合、自動復帰動作を優先させると、ユーザが安全であると判断しても、手動復帰が困難であれば、利便性に欠けるし、手動復帰であっても、同様の漏洩確認が必要であれば、相当な待機時間の経過を余儀なくされる。
【００１０】
自動復帰又は手動復帰に拘わらず同様の漏洩確認を行っているが、自動復帰であれば、人が不在であることを前提にしてできるだけ厳重な漏洩確認が行われ、人が立ち会っている場合であっても、開弁復帰までに長時間を要する。
【００１１】
このような漏洩検知機能は安全性重視のため、非常に厳重な漏洩検知が要求され、漏洩確認の精密化は漏洩確認に長時間を要する。これに対し、手動復帰の場合には、人が立会う復帰であるから、利便性向上の観点からすれば、短時間で迅速な復帰が望まれる。
【００１２】
ところで、ガス機器には安全装置が装備されているが、熱電対を使用したもの等では、作動までに時間を要する。自動復帰動作では人がいないか又は人がいてもガス遮断に気付かない場合があり、ガス機器側の安全装置が動作するまで、遮断弁の開弁操作を行うことができない。そのため、待ち時間が設定されており、この待ち時間は相当長くなる。ガスが使用されていない状態で遮断弁が遮断した場合には、ガス漏れがないので待ち時間を短くできる。
【００１３】
手動復帰の場合には、人が復帰動作を開始前にガス機器を止めてから行う作業手順となっているので、待ち時間の設定はない。現在、自動復帰は、ガスを使っていない状態で地震又は衝撃による遮断のみを対象としており、これは安全性を損なわずにガス供給を実現するという利便性を確保するためである。
【００１４】
しかしながら、自動復帰も手動復帰も同様の漏洩確認を行う場合には、人が立ち会っていても相当な待機時間が必要となり、安全性が確保されていても、ガス供給を迅速に行えないという利便性に欠ける課題がある。
【００１５】
このような課題は既述の引用文献１〜５には開示はなく、その解決手段についての示唆もない。
【００１６】
そこで、本発明の目的は、遮断弁の自動復帰及び手動復帰が可能なガスメーターに関し、安全性を確保しつつ手動復帰によるガス供給を迅速化し、利便性を向上させることにある。
【００１７】
また、本発明の他の目的は、遮断弁の遮断原因に対し、自動復帰の可能な遮断原因を異ならせ、安全性を確保しつつガス供給の自動復帰を可能にすることにある。
【課題を解決するための手段】
【００１８】
上記目的を達成するため、本発明は、遮断原因の生起によりガス流路を遮断する遮断弁を備えるガスメーターに関し、ガス漏れ流量と比較する第１の漏れ判定流量、この第１の漏れ判定流量と異なる第２の漏れ判定流量を設定し、自動復帰が可能な前記遮断原因により遮断弁が遮断されている場合に、復帰ボタンによる復帰指示を受けることなく、遮断弁の遮断又はその遮断指示から待機時間の経過後、遮断弁を開弁させ、検出ガス漏れ流量が第１の漏れ判定流量以下であれば、遮断弁を開弁状態に制御し、また、復帰ボタンによる復帰指示を受けて遮断弁を開弁させ、検出ガス漏れ流量が第２の漏れ判定流量以下であれば、遮断弁を開弁状態に制御する。自動復帰が不可とされた遮断原因により遮断弁が遮断されている場合も、復帰ボタンから復帰指示を受けると遮断弁を開弁させ、ガス流量検出手段の検出ガス漏れ流量が第２の漏れ判定流量以下であれば、遮断弁を開弁状態に制御する。復帰ボタン押下による手動復帰は、必ず人が立ち会う復帰作業であるため、復帰漏洩確認は不要であるから、復帰ボタン操作による復帰と自動復帰とで、漏洩確認のための漏洩検知量を変更すれば、安全性を担保しつつガス供給の利便性が高められる。
【００１９】
そこで、上記目的を達成するため、本発明の第１の側面は、ガス流路を遮断する遮断弁を備えるガスメーターであって、前記ガス流路に流れるガス流量を検出するガス流量検出手段と、前記遮断弁を遮断状態から開弁状態に復帰させる復帰指示をする復帰ボタンと、前記遮断弁を遮断させる遮断原因を、自動復帰が可能か否かを示す情報とともに格納する記憶部と、前記ガス流量検出手段の検出ガス漏れ流量と比較する第１の漏れ判定流量、この第１の漏れ判定流量と異なる第２の漏れ判定流量が設定され、自動復帰が可能な前記遮断原因により前記遮断弁が遮断されている場合に、前記復帰ボタンから前記復帰指示を受けることなく、前記遮断弁の遮断又はその遮断指示から待機時間の経過後、前記遮断弁を遮断状態から開弁状態にさせ、前記ガス流量検出手段の検出ガス漏れ流量が前記第１の漏れ判定流量以下であれば、前記遮断弁を開弁状態に制御し、前記待機時間が経過するまでに前記復帰ボタンから前記復帰指示を受けると前記遮断弁を遮断状態から開弁状態にさせ、前記ガス流量検出手段の検出ガス漏れ流量が前記第２の漏れ判定流量以下であれば、前記遮断弁を開弁状態に制御し、自動復帰が不可とされた前記遮断原因により前記遮断弁が遮断されている場合に、前記復帰ボタンから前記復帰指示を受けるまで前記遮断弁を遮断状態に維持し、前記復帰ボタンから前記復帰指示を受けると前記遮断弁を遮断状態から開弁状態にさせ、前記ガス流量検出手段の検出ガス漏れ流量が前記第２の漏れ判定流量以下であれば、前記遮断弁を開弁状態に制御する制御手段とを備えることである。斯かる構成によれば、上記目的が達成される。
【００２０】
また、上記目的を達成するためには、上記ガスメーターにおいて、好ましくは、前記第２の漏れ判定流量は、前記第１の漏れ判定流量より大きい値又は小さい値に設定されてもよいし、また、前記復帰ボタンによる前記復帰指示を受けて前記遮断弁を開弁状態に維持する制御は、前記遮断弁を遮断させる遮断原因の全ての遮断原因又はその遮断原因から選択された遮断原因を対象にし、前記復帰ボタンによる前記復帰指示を受けないで前記遮断弁を開弁状態に維持する制御は、前記遮断原因から選択された限定遮断原因を対象にする構成としてもよいし、また、前記遮断原因は、所定震度以上の地震、所定値以上の衝撃、所定時間以上の長時間使用、所定値以下へのガス圧力の低下、又は所定値以上のガス流量の増加であってもよいし、また、前記限定遮断原因は、所定震度以上の地震、所定値以上の衝撃、又は所定時間以上の長時間使用の何れかであってもよいし、また、前記待機時間中又は前記待機時間後に前記復帰ボタンからの復帰指示を受けた場合、前記制御手段は、前記復帰ボタンの復帰指示に基づく復帰動作を優先して実行してもよい。斯かる構成によっても、上記目的が達成される。
【００２１】
また、上記目的を達成するため、本発明の第２の側面は、ガス流路を遮断する遮断弁を備えるガスメーターの制御方法であって、前記ガス流路に流れる検出ガス流量を検出するステップと、前記遮断弁を遮断状態から開弁状態に復帰させる復帰指示をするステップと、前記遮断弁を遮断させる遮断原因を、自動復帰が可能か否かを示す情報とともに格納するステップと、検出ガス漏れ流量と比較する第１の漏れ判定流量、この第１の漏れ判定流量と異なる第２の漏れ判定流量が設定され、自動復帰が可能な前記遮断原因により前記遮断弁が遮断されている場合に、前記復帰指示を受けることなく、前記遮断弁の遮断又はその遮断指示から待機時間の経過後、前記遮断弁を遮断状態から開弁状態にさせ、検出ガス漏れ流量が前記第１の漏れ判定流量以下であれば、前記遮断弁を開弁状態に制御する前記復帰指示を受けて前記遮断弁を遮断状態から開弁状態にさせ、前記待機時間が経過するまでに前記復帰指示を受けると前記遮断弁を遮断状態から開弁状態にさせて、検出ガス漏れ流量が前記第２の漏れ判定流量以下であれば、前記遮断弁を開弁状態に制御し、自動復帰が不可とされた前記遮断原因により前記遮断弁が遮断されている場合に、前記復帰指示を受けるまで前記遮断弁を遮断状態に維持し、前記復帰指示を受けると前記遮断弁を遮断状態から開弁状態にさせ、検出ガス漏れ流量が前記第２の漏れ判定流量以下であれば、前記遮断弁を開弁状態に制御するステップとを含むことである。斯かる構成によれば、上記目的が達成される。
【００２２】
また、上記目的を達成するためには、上記ガスメーターの制御方法において、好ましくは、前記第２の判定流量は、前記第１の判定流量より大きい値又は小さい値に設定されてもよいし、また、前記待機時間中又は前記待機時間後に前記復帰指示を受けた場合、前記復帰指示に基づく復帰動作を優先して実行してもよい。斯かる構成によっても、上記目的が達成される。
【００２３】
また、上記目的を達成するため、本発明の第３の側面は、ガス流路を遮断する遮断弁を備えるガスメーターに搭載されたコンピュータに実行させる制御プログラムであって、前記ガス流路に流れる検出ガス流量を検出するステップと、前記遮断弁を遮断状態から開弁状態に復帰させる復帰指示をするステップと、前記遮断弁を遮断させる遮断原因を、自動復帰が可能か否かを示す情報とともに格納するステップと、検出ガス漏れ流量と比較する第１の漏れ判定流量、この第１の漏れ判定流量と異なる第２の漏れ判定流量が設定され、自動復帰が可能な前記遮断原因により前記遮断弁が遮断されている場合に、前記復帰指示を受けることなく、前記遮断弁の遮断又はその遮断指示から待機時間の経過後、前記遮断弁を遮断状態から開弁状態にさせ、前記待機時間が経過するまでに前記復帰指示を受けると前記遮断弁を遮断状態から開弁状態にさせて、検出ガス漏れ流量が前記第１の漏れ判定流量以下であれば、前記遮断弁を開弁状態に制御する前記復帰指示を受けて前記遮断弁を遮断状態から開弁状態にさせ、検出ガス漏れ流量が前記第２の漏れ判定流量以下であれば、前記遮断弁を開弁状態に制御し、自動復帰が不可とされた前記遮断原因により前記遮断弁が遮断されている場合に、前記復帰指示を受けるまで前記遮断弁を遮断状態に維持し、前記復帰指示を受けると前記遮断弁を遮断状態から開弁状態にさせ、検出ガス漏れ流量が前記第２の漏れ判定流量以下であれば、前記遮断弁を開弁状態に制御するステップとを含むことである。斯かる構成によっても、上記目的が達成される。
【００２４】
また、上記目的を達成するためには、上記制御プログラムにおいて、好ましくは、前記第２の判定流量は、前記第１の判定流量より大きい値又は小さい値に設定されてもよいし、また、前記待機時間中又は前記待機時間後に前記復帰指示を受けた場合、前記復帰指示に基づく復帰動作を優先して実行してもよい。斯かる構成によっても、上記目的を達成することができる。
【発明の効果】
【００２５】
(1) ガスメーターに備えた遮断弁の遮断の際に、復帰ボタンの操作を契機とする手動復帰と、復帰ボタンの操作を伴わない自動復帰とのガス漏れ流量の判定流量を異ならせて、遮断弁の開弁状態の制御を行うので、ガス遮断後のガス供給の安全性と迅速化とを図ることができ、ガス利用の利便性の向上を図ることができる。
【００２６】
(2) ガスメーターに備えた遮断弁の遮断の際に、遮断弁を遮断状態にさせた遮断原因に対し、復帰ボタンの操作を契機とする手動復帰を可能とする遮断原因と、復帰ボタンの操作を伴わない自動復帰を可能とする遮断原因とを異ならせたことにより、ガス遮断後のガス供給の安全性と迅速化とを図ることができ、ガス利用の利便性の向上を図ることができる。
【００２７】
(3) ガスメーターに備えた遮断弁の遮断の際に、復帰ボタンの操作を契機とする手動復帰の際にガス漏れ流量の判定流量を、復帰ボタンの操作を伴わない自動復帰の際のガス漏れ流量の判定流量より大きい値に設定すれば、ガス遮断後のガス供給の安全性と迅速化とを図ることができ、ガス利用の利便性の向上を図ることができる。
【００２８】
(4) ガスメーターに備えた遮断弁の遮断の際に、復帰ボタンの操作を伴わない自動復帰の際にガス漏れ流量の判定流量を、復帰ボタンの操作を契機とする手動復帰の際のガス漏れ流量の判定流量より小さい値に設定すれば、ガス遮断後のガス供給の安全性と迅速化とを図ることができ、ガス利用の利便性の向上を図ることができる。
【発明を実施するための最良の形態】
【００２９】
〔第１の実施の形態〕
【００３０】
第１の実施の形態について、図１を参照する。図１は、ガス供給システムを示す図である。図１に示す構成は一例であって、斯かる構成に本発明は限定されるものではない。
【００３１】
このガス供給システム２はガス供給源４から各顧客宅５に供給するガス供給システムであって、例えば、都市ガス供給システムに代表される。このガス供給システム２は、図１に示すように、ガス供給源４のガスＧをガス流路６に流し、ガス流路６に設置されたガスメーター８を経て顧客宅５に供給している。
【００３２】
ガスメーター８は、顧客宅５に供給されるガスＧの使用量を計測する手段であるとともに、ガス供給の安全性を維持するため、一定の遮断原因が生起した際にガス供給を遮断する機能を有するとともに、ガス供給を自動復帰する機能と、手動復帰する機能とを有し、遮断弁１２、圧力センサー１４、ガス流量検出器１６、地震センサー１８、ガスメーター制御ユニット２０、通信ユニット２２、復帰ボタン２４、表示部２５等の機能部を備えている。
【００３３】
遮断弁１２はガス流路６を遮断する手段であって、例えば、震度５以上の地震の発生等、一定の遮断原因の生起により、自己遮断又はガスメーター制御ユニット２０によって駆動されてガス流路６を遮断する。この遮断弁１２の自己遮断は、閾値以上の衝撃が加わった場合に地震による揺れとは別の遮断機能による。また、この遮断弁１２は、その遮断状態を検知する手段として遮断センサー２６を備えており、その遮断検知出力がガスメーター制御ユニット２０に取り込まれる。
【００３４】
また、遮断弁１２は、遮断したガス供給を一定の条件により復帰させることができ、このガス供給の復帰には、既述の通り自動復帰又は手動復帰があり、自動復帰はガスメーター制御ユニット２０の自動復帰モードにより、手動復帰は復帰ボタン２４による復帰指示を契機とする手動復帰モードにより実行される。
【００３５】
圧力センサー１４はガス流路６に流れるガスＧの圧力の検出手段であって、ガス圧力の低下や上昇を検出する。この圧力センサー１４の検出信号はガスメーター制御ユニット２０に伝送され、ガスメーター制御ユニット２０では、ガス流路６のガス圧力を常時監視する。
【００３６】
ガス流量検出器１６はガス流路６に流れるガス流量の検出手段であって、ガス流量の増減を検出する。このガス流量検出器１６の検出信号はガスメーター制御ユニット２０に伝送され、ガスメーター制御ユニット２０では、ガス流量を常時監視する。
【００３７】
地震センサー１８は地震による揺れの検出手段であって、この地震検知信号はガスメーター制御ユニット２０に取り込まれる。震度５以上の地震により、遮断弁１２が遮断状態となり、この遮断状態は遮断センサー２６で検知される。
【００３８】
ガスメーター制御ユニット２０は、圧力センサー１４、ガス流量検出器１６、地震センサー１８の出力信号を受け、遮断弁１２を遮断状態に制御し、遮断センサー２６の検知出力を受け、遮断弁１２を遮断状態から開弁状態に自動復帰又は手動復帰させるための制御や、ガス流量の積算制御や、他の機能部を制御する制御手段であって、例えば、マイクロコンピュータで構成される。
【００３９】
通信ユニット２２はガスメーター制御ユニット２０と外部機器や管理センターとの通信を行うための通信手段であるとともに、他の外部機器に対するインタフェース部を構成するが、管理センターからの指示を受け、遮断状態にある遮断弁１２を自動又は手動に代わる遠隔復帰手段を構成する。
【００４０】
復帰ボタン２４は、遮断状態にある遮断弁１２を遮断状態から開弁状態に復帰させるための復帰指示を行う手段であって、その復帰指示は、ガスメーター制御ユニット２０に加えられる。
【００４１】
表示部２５は、情報提示手段の一例であって、例えば、ＬＣＤ（Liquid Crystal Display）表示器等で構成され、遮断弁１２が遮断状態にあることを表す遮断表示、検査中であることを表す検査中表示等に用いられる。
【００４２】
そして、顧客宅５には、遮断弁１２が開弁状態にあれば、ガス流路６を通じてガスＧがガス器具５１、５２等に供給される。
【００４３】
次に、ガスメーター制御ユニット２０について、図２を参照する。図２はガスメーター制御ユニットのハードウェア構成を示す図である。図２に示す構成は一例であって、斯かる構成に本発明は限定されるものではない。図２において、図１と同一部分には同一符号を付してある。
【００４４】
ガスメーター制御ユニット２０はマイクロコンピュータで構成され、図２に示すように、ＣＰＵ（Central Processing Unit ）２８、ＲＡＭ（Random-Access Memory）３０、記憶部３２、インタフェース部３４、弁駆動部３６、表示制御部３８を備えている。
【００４５】
ＣＰＵ２８は、記憶部３２にあるプログラムを実行して機能部を制御する制御手段、検出出力と閾値とを比較する比較手段であるとともに、待機時間等の計時手段である。即ち、ＣＰＵ２８は、遮断弁１２、通信ユニット２２等の機能部の制御手段を構成し、圧力センサー１４、ガス流量検出器１６、地震センサー１８、遮断センサー２６等の検出出力と閾値との比較等の演算手段を構成し、記憶部３２のデータの読出し等の記憶制御手段を構成し、遮断弁１２の遮断後の待機時間の計測等の計時手段を構成する。また、このＣＰＵ２８は、遮断状態にある遮断弁１２を自動復帰モードによる開弁状態への移行、手動復帰モードによる開弁状態への移行を行う。
【００４６】
ＲＡＭ３０はワークメモリであり、記憶部３２はプログラム記憶手段であるとともに、データ記憶手段である。記憶部３２には、プログラム記憶部と、データ記憶部とが設定され、プログラム記憶部にはＯＳ（Operating System）の他、アプリケーションプログラムとして自動復帰プログラムルーティン、手動復帰プログラムルーティン等が格納され、データ記憶部にはデータテーブル４０（図３）等が格納されている。
【００４７】
インタフェース部３４はセンサーや機能の入出力手段であって、このインタフェース部３４には、圧力センサー１４、ガス流量検出器１６、地震センサー１８、通信ユニット２２、復帰ボタン２４、遮断センサー２６が接続されている。インタフェース部３４には、ＣＰＵ２８の制御により各圧力センサー１４、ガス流量検出器１６、地震センサー１８、復帰ボタン２４、遮断センサー２６の検出出力が取り込まれ、これらの検出出力がＣＰＵ２８に伝送される。
【００４８】
弁駆動部３６は、遮断弁１２の弁部３７の駆動モータ３９を駆動する駆動手段であって、ＣＰＵ２８からの駆動出力により駆動モータ３９を開閉駆動する。駆動モータ３９は例えば、ステッピングモータで構成される。
【００４９】
表示制御部３８は、表示部２５の制御手段であって、ＣＰＵ２８の制御により、表示部２５の遮断表示やその表示消去を行う。
【００５０】
斯かる構成によれば、例えば、所定震度以上の地震の揺れや、衝撃を検知した際の検知出力の発生等、遮断弁１２を遮断状態にする遮断原因が生起すると、ＣＰＵ２８から遮断出力が発せられ、弁駆動部３６からモータ駆動出力が得られる。この出力が発せられると、駆動モータ３９が回転し、この回転によって弁部３７が遮断状態に移行し、ガス流路６を遮断させる。
【００５１】
遮断弁１２の遮断原因が地震、衝撃遮断、通常流量での長時間使用等の自動復帰可能な遮断原因であれば、自動復帰モードが実行される。即ち、復帰ボタン２４の操作がなく、遮断弁１２の遮断から所定の待機時間の後、遮断弁１２を遮断状態から開弁状態に開弁させ、ガス流量検出器１６で検出されるガス漏れ流量が第１の漏れ判定流量Ｌ1 以下であれば、開弁状態が維持される。
【００５２】
また、遮断弁１２の遮断原因が地震、衝撃遮断、通常流量での長時間使用等の自動復帰可能な遮断原因の他、手動復帰のみが可能な遮断原因即ち、ガス圧力の低下による遮断、ガス流量の急増による遮断であれば、復帰ボタン２４の操作を契機とする手動復帰モードが実行される。即ち、復帰ボタン２４を操作すると、遮断弁１２を遮断状態から開弁状態に開弁させ、ガス流量検出器１６で検出されるガス漏れ流量Ｌが第１の漏れ判定流量Ｌ1 とは異なる第２の漏れ判定流量Ｌ2 以下であれば、開弁状態が維持される。
【００５３】
漏れ判定流量Ｌ1 、Ｌ2 （Ｌ1 ≠Ｌ2 ）の大小関係は、Ｌ2 ＞Ｌ1 又はＬ1 ＞Ｌ2 の何れでもよいが、漏れ判定流量Ｌ2 を漏れ判定流量Ｌ1 より大きい値（Ｌ2 ＞Ｌ1 ）に設定すれば、手動復帰では必ず人が立ち会うので、安全性が担保され、セキュリティを維持しつつ、ガス供給の迅速化が図られる。
【００５４】
また、漏れ判定流量Ｌ1 を漏れ判定流量Ｌ2 より大きい値（Ｌ1 ＞Ｌ2 ）に設定すれば、自動復帰では無人であっても、自動復帰の遮断原因が特定され、また、漏れ判定流量が小さいので、安全性が担保され、セキュリティを維持しつつ、ガス供給を行うことができる。
【００５５】
次に、遮断原因、自動又は手動復帰に関するデータ構造について、図３を参照する。図３は、遮断原因、自動又は手動復帰に関するデータ構造を示す図である。図３に示す構成は一例であって、斯かる構成に本発明が限定されるものではない。
【００５６】
このデータ構造は、ガスメーターの制御方法又は制御プログラムに用いられるデータの一例であって、記憶部３２のデータ記憶部に格納され、データテーブル４０を構成している。
【００５７】
このデータテーブル４０では、図３に示すように、遮断原因４２には自動復帰及び手動復帰が可能な遮断原因４４と、手動復帰のみが可能な遮断原因４６がある。
【００５８】
遮断原因４２は次の通りである。
【００５９】
ａ）震度５以上の地震
ｂ）閾値以上の衝撃
ｃ）通常流量での閾値以上の長時間使用
ｄ）ガス圧力の低下
ｅ）ガス流量の急増
等がある。ガスの未使用時、ａ）震度５以上の地震、ｂ）閾値以上の衝撃による遮断は自動復帰及び手動復帰が可能であり、ガス使用中、ａ）震度５以上の地震、ｂ）閾値以上の衝撃、ｃ）通常流量での閾値以上の長時間使用による遮断も自動復帰及び手動復帰が可能である。これに対し、ガス使用中のｄ）ガス圧力の低下、ｅ）ガス流量の急増は、手動復帰のみが可能である。これは、ユーザーが遮断原因を自己において知ることができるからである。テーブル中の丸印は自動復帰が可能か、手動復帰が可能かを表している。
【００６０】
ａ）震度５以上の地震について：
【００６１】
地震センサー１８の地震の検知出力は、ガスメーター制御ユニット２０に取り込まれ、その地震が震度５以上であれば、ガスメーター制御ユニット２０の制御出力によって遮断弁１２が閉じられる。この遮断状態は遮断センサー２６によって検知され、その検知出力がガスメーター制御ユニット２０に取り込まれる。
【００６２】
ｂ）閾値以上の衝撃について：
【００６３】
遮断弁１２には、閾値を超える衝撃として例えば、設計値を超える大きな衝撃を受けたことによって、開弁状態から遮断状態になることがある。この場合の遮断状態も遮断センサー２６によって検知され、その検知出力がガスメーター制御ユニット２０に取り込まれる。
【００６４】
ｃ）通常流量での閾値以上の長時間使用について：
【００６５】
ガス流路６のガス流量は、ガス流量検出器１６で常時監視され、この検出出力を受けたガスメーター制御ユニット２０側では、使用時間を計測しており、その計測時間が閾値以上の長時間に亘る場合には、ガスメーター制御ユニット２０が遮断制御出力を発生する。この遮断制御出力により、遮断弁１２が閉じられ、この遮断状態は遮断センサー２６によって検知され、その検知出力がガスメーター制御ユニット２０に取り込まれる。
【００６６】
ｄ）ガス圧力の低下について：
【００６７】
ガス流路６のガス圧力は、圧力センサー１４で常時監視され、その検出出力を受けたガスメーター制御ユニット２０側では、ガス圧力が閾値以下に低下した場合には、ガスメーター制御ユニット２０が遮断制御出力を発生する。この遮断制御出力により、遮断弁１２が閉じられ、この遮断状態は遮断センサー２６によって検知され、その検知出力がガスメーター制御ユニット２０に取り込まれる。
【００６８】
ｅ）ガス流量の急増について：
【００６９】
ガス流路６のガス流量は、ガス流量検出器１６で常時監視され、その検出出力を受けたガスメーター制御ユニット２０側では、ガス流量が閾値以上に急増した場合には、ガスメーター制御ユニット２０が遮断制御出力を発生する。この遮断制御出力により、遮断弁１２が閉じられ、この遮断状態は遮断センサー２６によって検知され、その検知出力がガスメーター制御ユニット２０に取り込まれる。
【００７０】
次に、ガス遮断、自動復帰又は手動復帰について、図４、図５及び図６を参照する。図４は、ガス遮断、自動復帰又は手動復帰の処理手順の概要を示すフローチャート、図５及び図６は、ガス遮断、自動復帰又は手動復帰の処理手順を示すフローチャートである。図４、図５及び図６に示す構成は一例であって、斯かる構成に本発明は限定されるものではない。図５及び図６において、Ａ、Ｂ及びＣはフローチャート間の結合を示す結合子である。
【００７１】
この処理手順はガスメーター、その制御方法又は制御プログラムの一例であって、この処理手順には、図４に示すように、ガスが使用中か否かの判断処理（ステップＳ１０１）、ガス未使用時の遮断原因の判断処理（ステップＳ１０２）、ガス使用中の遮断原因の判断処理（ステップＳ１０３、Ｓ１０４）、自動復帰／手動復帰が可能な遮断原因である場合の遮断処理（ステップＳ１０５）、手動復帰のみが可能な遮断原因である場合の遮断処理（ステップＳ１０６）、自動復帰前の待機時間経過の判断処理（ステップＳ１０７）、自動復帰のためのガス漏れ検査（ステップＳ１０８）、ガス漏れ流量Ｌが第１の漏れ判定流量Ｌ1 以下（Ｌ≦Ｌ1 ）であるか否かの判定処理（ステップＳ１０９）、Ｌ≦Ｌ1 の場合の開弁維持（ステップＳ１１０）、Ｌ＞Ｌ1 の場合の遮断処理（ステップＳ１１１）が含まれ、また、遮断（ステップＳ１０５、Ｓ１０６）後の手動復帰のための復帰ボタン操作受付（ステップＳ１１２）、手動復帰のためのガス漏れ検査（ステップＳ１１３）、ガス漏れ流量Ｌが第２の漏れ判定流量Ｌ2 以下（Ｌ≦Ｌ2 ）であるか否かの判定処理（ステップＳ１１４）、Ｌ≦Ｌ2 の場合には開弁維持（ステップＳ１１５）、Ｌ＞Ｌ2 の場合には遮断処理（ステップＳ１１６）を行う。漏れ判定流量Ｌ1 、Ｌ2 は例えば、Ｌ2 ＞Ｌ1 に設定されている。
【００７２】
そこで、この処理手順では、ガス使用中か否かを判断し、遮断原因の判断を前置した処理手順について、図５及び図６を参照すると、ガスメーター８では常時、ガスＧの供給を監視しており、使用中か否かを判定する（ステップＳ２０１）。
【００７３】
(1) ガス未使用の場合（自動復帰の場合）
【００７４】
ガスが使用中でない場合には（ステップＳ２０１のＮＯ）、震度５以上の地震又は閾値以上の衝撃があれば（ステップＳ２０２のＹＥＳ）、遮断弁１２が遮断状態となってガス流路６が遮断し（ステップＳ２０３）、その遮断状態を表す遮断表示が行われる（ステップＳ２０４）。この遮断状態において、復帰ボタン２４の操作受付待ち状態となり（ステップＳ２０５）、復帰ボタン２４の操作を受け付けたか否かを判断し（ステップＳ２０６）、復帰ボタン２４の操作を受け付けることなく（ステップＳ２０６のＮＯ）、遮断から所定の待機時間が経過したか否かを判断する（ステップＳ２０７）。この待機時間は、自動復帰のための待機時間であり、所定時間として例えば、２分間である。
【００７５】
復帰ボタン２４の操作を受け付けることなく、所定の待機時間が経過すれば（ステップＳ２０７のＹＥＳ）、自動復帰のためのガス漏れ検査が実行され（ステップＳ２０８）、検査中であることを表示する（ステップＳ２０９）。ガス漏れ検査は、遮断弁１２を開弁状態にし、ガス流量検出器１６によってガス漏れ流量Ｌを検出し、ガスメーター制御ユニット２０に取り込む。
【００７６】
このガス漏れ流量Ｌが漏れ判定流量Ｌ1 以下（Ｌ≦Ｌ1 ）であるか否かを判定し（ステップＳ２１０）、Ｌ≦Ｌ1 であれば、ガス漏れなしと判定し、遮断弁１２を開弁状態に維持して使用可能にし（ステップＳ２１１）、検査中の表示を消去する（ステップＳ２１２）。
【００７７】
また、ステップＳ２１０において、Ｌ＞Ｌ1 であれば、ガス漏れ有りと判定し、遮断弁１２を遮断状態にし（ステップＳ２１３）、遮断中である旨の表示として遮断表示を行う（ステップＳ２１４）。
【００７８】
また、待機時間の経過前（ステップＳ２０７のＮＯ）に復帰ボタン２４の操作の受付けがあった場合には（ステップＳ２０６のＹＥＳ）、ステップＳ２２１（図６）に移行して手動復帰又は遮断のためのための処理（ステップＳ２２１〜Ｓ２２７）が実行される。
【００７９】
(2) ガス使用中の場合（自動復帰又は手動復帰の場合）
【００８０】
ガス使用中である場合には（ステップＳ２０１のＹＥＳ）、震度５以上の地震又は閾値以上の衝撃又は通常流量での長時間使用に基づき（ステップＳ２１５のＹＥＳ）、遮断弁１２が遮断状態となってガス流路６が遮断され（ステップＳ２１６）、この遮断の結果、遮断を表す遮断表示が行われる（ステップＳ２１７）。この遮断状態において、復帰ボタン２４の操作受付待ち状態となり（ステップＳ２１８）、復帰ボタン２４の操作を受け付けたか否かを判断する（ステップＳ２１９）とともに、遮断からの待機時間の経過を判断する（ステップＳ２２０）。この待機時間は、自動復帰のための待機時間であり、既述の通り待機時間は例えば、２分間である。
【００８１】
復帰ボタン２４の操作を受け付けることなく（ステップＳ２１９のＮＯ）、遮断から所定の待機時間が経過した場合には（ステップＳ２２０のＹＥＳ）、ステップＳ２０８（図５）に移行し、自動復帰又は遮断のための処理（ステップＳ２０８〜Ｓ２１４）を実行する。
【００８２】
また、待機時間の経過前（ステップＳ２２０のＮＯ）に復帰ボタン２４の操作が受け付けられた場合には（ステップＳ２１９のＹＥＳ）、手動復帰のためのガス漏れ検査が行われ（ステップＳ２２１）、検査中であることを表示する（ステップＳ２２２）。ガス漏れ検査は、遮断弁１２を開弁状態にし、ガス流量検出器１６によってガス漏れ流量Ｌを検出し、ガスメーター制御ユニット２０に取り込む。
【００８３】
このガス漏れ検査では、ガス漏れ流量Ｌが漏れ判定流量Ｌ2 以下（Ｌ≦Ｌ2 ）であるか否かを判定し（ステップＳ２２３）、Ｌ≦Ｌ2 であれば（ステップＳ２２３のＹＥＳ）、ガス漏れなしと判定し、遮断弁１２を開弁状態に維持して使用可能にし（ステップＳ２２４）、検査中の表示を消去する（ステップＳ２２５）。
【００８４】
また、ステップＳ２２３において、Ｌ＞Ｌ2 であれば（ステップＳ２２３のＮＯ）、ガス漏れ有りと判定し、遮断弁１２を遮断状態にし（ステップＳ２２６）、遮断中である旨の表示として遮断表示を行う（ステップＳ２２７）。
【００８５】
(3) ガス使用中の場合（手動復帰の場合）
【００８６】
ガス使用中の場合には（ステップＳ２０１のＹＥＳ）、閾値以下にガス圧力の低下又は閾値以上のガス流量の急増であれば（ステップＳ２２８のＹＥＳ）、遮断弁１２が遮断状態となり、ガス流路６が遮断される（ステップＳ２２９）。このとき、遮断状態を表す遮断表示が行われ（ステップＳ２３０）、復帰ボタン２４の操作受付待ち状態となる（ステップＳ２３１）。復帰ボタン２４が受け付けられたか否かの判定を行い（ステップＳ２３２）、復帰ボタン２４の操作が受け付けられた場合には（ステップＳ２３２のＹＥＳ）、ステップＳ２２１に移行し、ステップＳ２２１〜Ｓ２２７の処理が実行される。
【００８７】
また、復帰ボタン２４の操作受付待ち状態（ステップＳ２３１）の後、復帰ボタン２４の操作の受付けがなければ（ステップＳ２３２のＮＯ）、遮断弁１２は遮断状態が維持され（ステップＳ２２９）、遮断弁１２が遮断中である旨の表示が継続して行われる（ステップＳ２３０）。
【００８８】
〔第２の実施の形態〕
【００８９】
第１の実施の形態では、遮断原因の分類に従い、自動復帰か手動復帰かを判断し、復帰ボタン２４の操作の受付けがあった場合に手動復帰を行っているが、復帰ボタン２４の操作の受付けがあったか否かの判断の後、生起している遮断原因から手動復帰か自動復帰かを判断し、その判断に基づき復帰動作を行う構成としてもよい。
【００９０】
〔第３の実施の形態〕
【００９１】
第１及び第２の実施の形態では、遮断弁１２が遮断状態に移行したことを遮断センサー２６（図１、図２）で検出しているが、遮断センサー２６を用いないで、圧力センサー１４、地震センサー１８又はガス流量検出器１６の検出出力に基づき、遮断制御手段であるガスメーター制御ユニット２０の遮断指示により、遮断弁１２を遮断状態に移行させる構成としてもよい。図７に示すガスメーター８はその一例であって、図１と同一部分には同一符号を付し、その説明を省略する。
【００９２】
〔他の実施の形態〕
【００９３】
(1) 上記実施の形態では、遮断センサー２６が遮断弁１２の遮断状態を検出したことを契機又はその時点から時間計測をし、その計測時間が所定時間に到達した場合の自動復帰動作について例示したが、遮断弁１２の遮断又はガスメーター制御ユニット２０からの遮断指示から所定時間の経過後、遮断弁１２を自動復帰させる構成又は処理を行ってもよく、本発明は上記実施の形態に限定されるものではない。
【００９４】
(2) 上記実施の形態のガス漏れ検査では、遮断状態にある遮断弁１２を開弁状態にした後、ガス流量検出器１６でガス流量を検出しているが、遮断弁１２が遮断状態にあるか開弁状態にあるかに無関係に継続的にガス流量検出器１６でガス流量を検出してもよい。即ち、遮断弁１２の遮断を契機とするガス漏れ流量の検出タイミングとする構成に限定されるものではなく、常時、ガス流量の検出状態にし、遮断弁１２の遮断又はその指示、又はガス漏れ流量の検出指示を契機としてガス流量を検出する構成とし、この検出ガス流量をガス漏れ流量としてもよい。
【００９５】
(3) 上記実施の形態では、ガス流路６の上流側から遮断弁１２、圧力センサー１４及びガス流量検出器１６の順序で設置しているが、図８の（Ａ）に示すように、ガス流路６の上流側から圧力センサー１４、ガス流量検出器１６及び遮断弁１２の順序で設置してもよく、また、図８の（Ｂ）に示すように、ガス流路６の上流側からガス流量検出器１６、遮断弁１２及び圧力センサー１４の順序で設置してもよく、また、図８の（Ｃ）に示すように、ガス流路６の上流側からガス流量検出器１６、圧力センサー１４及び遮断弁１２の順序で設置してもよく、また、図８の（Ｄ）に示すように、ガス流路６の上流側から遮断弁１２、ガス流量検出器１６及び圧力センサー１４の順序で設置してもよく、また、図８の（Ｅ）に示すように、ガス流路６の上流側から圧力センサー１４、遮断弁１２及びガス流量検出器１６の順序で設置してもよく、本発明は、これらの設置順序に限定されるものではない。
【００９６】
(4) 上記実施の形態では、遮断弁１２にステッピングモータを用いる例を示したが、現在のガスメーターに用いられている遮断弁として、永久磁石によって開弁状態を保持し、バネ力によって閉弁状態を保持し、開閉は電磁石の通電で行う遮断弁を用いてもよい。この場合、ステッピングモータを用いたものに比べ、衝撃による遮断が発生し易い傾向にあるので、既述の遮断センサー２６の状態によって、自動的に開弁動作を行う効果が大きい。
【００９７】
(5) 第１及び第２の実施の形態では、第１及び第２の漏れ判定流量Ｌ1 、Ｌ2 について、Ｌ1 ≠Ｌ2 の一例として、Ｌ1 ＜Ｌ2 に設定しているが、必要に応じてＬ1 ＞Ｌ2 に設定してもよい。
【００９８】
(6) 第１及び第２の漏れ判定流量Ｌ1 、Ｌ2 は、顧客宅５等、需要先によって異なる値を任意に設定可能としてもよい。
【００９９】
(7) 第１の漏れ判定流量Ｌ1 は都市ガスの場合、例えば、１時間当たり３リットル、第２の漏れ判定流量Ｌ2 は都市ガスの場合、例えば、５０リットルに設定すればよい。
【０１００】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０１】
本発明は、ガスメーターに備えた遮断弁が遮断した際に、復帰ボタンの操作を契機とする手動復帰と、復帰ボタンの操作を伴わない自動復帰とのガス漏れ流量の判定流量を異ならせて、遮断弁の開弁状態の制御を行うので、ガス遮断後のガス供給の安全性と迅速化とを図ることができ、ガス利用の利便性の向上を図ることができ、都市ガス供給システム等の安全性を図りつつガス供給の利便性の向上を図ることができ、有用である。
【図面の簡単な説明】
【０１０２】
【図１】第１の実施の形態に係るガス供給システムを示す図である。
【図２】ガスメーター制御ユニットのハードウェア構成を示す図である。
【図３】遮断原因、自動又は手動復帰に関するデータ構造を示す図である。
【図４】ガス遮断、自動復帰又は手動復帰の処理手順の概要を示すフローチャートである。
【図５】ガス遮断、自動復帰又は手動復帰の処理手順を示すフローチャートである。
【図６】ガス遮断、自動復帰又は手動復帰の処理手順を示すフローチャートである。
【図７】第２の実施の形態に係るガス供給システムを示す図である。
【図８】遮断弁、圧力センサー及びガス流量検出器の設置順序の変形例を示す図である。
【符号の説明】
【０１０３】
２  ガス供給システム
４  ガス供給源
６  ガス流路
８  ガスメーター
１２  遮断弁
１４  圧力センサー
１６  ガス流量検出器
１８  地震センサー
２０  ガスメーター制御ユニット
２４  復帰ボタン
２５  表示部
２６  遮断センサー
２８  ＣＰＵ
３６  弁駆動部
【図１】
0005143608.tif 000002
【図２】
0005143608.tif 000003
【図３】
0005143608.tif 000004
【図４】
0005143608.tif 000005
【図５】
0005143608.tif 000006
【図６】
0005143608.tif 000007
【図７】
0005143608.tif 000008
【図８】
0005143608.tif 000009